(57)【要約】【課題】ＴＲＥＥ構造の一つの要素を選択してつながり抽出操作を行えば、その要素とつながっている要素のみを抽出表示するＴＲＥＥ構造の分析に迅速に対応できるＴＲＥＥ構造記述ソフトウェアを提供することを目的とするものである。【解決手段】操作入力部１００と入力操作識別部１０１とＴＲＥＥ構造を記述する図形編集部１０２と記述した結果を表示する表示編集部１０４に、つながり抽出を可能にする図形追跡処理部１０５とつながり図形のみを抽出するつながり結果抽出部１０６を追加して、つながり情報を持った線とつながり情報と位置情報を持った要素を使ってＴＲＥＥ構造を記述したときに、ＴＲＥＥ構造の中に存在する任意の選択した要素につながっていると識別した要素と線を抽出表示させる構成とする。【選択図】図１
2008077128.tif 000002
【特許請求の範囲】
【請求項１】
複数の要素を系統的に構成したＴＲＥＥ構造の一つの要素を選択してつながり抽出操作を行うと、その要素とつながっている要素のみを抽出表示し、一方、抽出解除操作を行うと、元のＴＲＥＥ構造全体を表示する機能を備えたＴＲＥＥ構造記述ソフトウェア。
【請求項２】
選択した要素に対してＴＥＲＲ構造の右左方向または上下方向に末広がりにつながっている他の要素を順次検索し、かつ、前記選択した要素の方向に戻る方向につながっている他の要素は検索しないという要素検索手順を特徴として有した請求項１記載のＴＲＥＥ構造記述ソフトウェア。
【請求項３】
つながり抽出操作を行ったつながっている要素の抽出結果は、図面データを多層構造にして表示することを特徴とした請求項１または２のいずれかに記載のＴＲＥＥ構造記述ソフトウェア。
【請求項４】
ＴＲＥＥ構造の一つのデータファイルが複数のページで構成され、かつ、ある既存のページで行ったつながり抽出結果を新規に別のページを作成して出力することを特徴とした請求項１〜３のいずれか１つに記載のＴＲＥＥ構造記述ソフトウェア。
【請求項５】
別のページに出力した抽出結果の要素間の間隔を所定の制約条件の下で自動的に縮めて再配置することを特徴とした請求項４に記載のＴＲＥＥ構造記述ソフトウェア。
【発明の詳細な説明】
【技術分野】
【０００１】
本発明は、系統図や組織図などのＴＲＥＥ構造（ツリー構造）をコンピュータの表示装置（ディスプレイ）上などに表示（記述）するＴＲＥＥ構造記述ソフトウェアに関するものである。
【背景技術】
【０００２】
従来ＴＲＥＥ構造を記述するソフトウェアとしては、表計算ソフトウェア（Ｅｘｃｅｌなど）や文書作成ソフトウェア（Ｗｏｒｄなど）やＣＡＤなどの図形描画ソフトウェアがあり、要素をテキストＢＯＸで作成して関連する要素どうしをコネクタと呼ばれる線図形で接続するソフトウェアであった。
【０００３】
また、開閉要素を介して連係される施設系統図を表示装置に表示するものにおいて、前記開閉要素を操作することにより影響を受ける系統を他の系統と識別して前記表示装置に表示する系統図表示方法があった。
【０００４】
なお、この出願に関する先行技術文献情報としては、例えば、特許文献１が知られている。
【特許文献１】特開平６−２７４１３５号公報
【発明の開示】
【発明が解決しようとする課題】
【０００５】
しかしながら、一般に使用されているパーソナルコンピュータで動作する表計算ソフトや文書作成ソフトや図形描画ソフトでは、ＴＲＥＥ構造を記述できても、記述したＴＲＥＥ構造のどれか一つの要素に着目したときにその要素とつながっている要素だけを抽出して表示することができないため、ＴＲＥＥ構造が膨大で複雑になるほど、着目した要素がどこと関連してつながっているのかわかりにくくＴＲＥＥ構造の分析を迅速に行うことができないという問題を有していた。
【０００６】
また、前記従来の系統図表示方法は施設における水道や電気の系統図において一箇所の開閉要素（装置）がその開閉要素（装置）の下流側の系統のどこまで影響するかを他と識別して表示する方法であり、ＴＲＥＥ構造のどれか一つの要素に着目して上流側と下流側の両方向にどの要素とつながっているかは識別できないという問題を有していた。
【０００７】
本発明は、前記課題を解決しようとするものであり、ＴＲＥＥ構造の一つの要素を選択してそのつながり抽出操作を行えば、その要素とつながっている要素のみを抽出表示し、抽出解除操作を行えば、元のＴＲＥＥ構造全体が表示される機能を備えた、ＴＲＥＥ構造の分析に迅速に対応できるＴＲＥＥ構造記述ソフトウェアを提供することを目的とするものである。
【課題を解決するための手段】
【０００８】
前記目的を達成するために、本発明は以下の構成を有するものである。
【０００９】
本発明の請求項１に記載の発明は、系統的に構成された複数の要素がつながり情報をもった線とつながり情報と位置情報を持った文書を記述する構成を有しており、これによりＴＲＥＥを記述するときに文書を記述した要素どうしを線でつなぎ、ある条件の下で要素と線のつながり情報を順次たどることで、ＴＲＥＥ構造の中に存在する任意の選択した単一の要素につながっている線および要素を順次検索することができ、前記起点として選択した単一の要素とつながっていると識別した他の要素と線を抽出表示させることで、ＴＲＥＥ構造を解析しやすくなるという作用効果を有する。
【００１０】
本発明の請求項２に記載の発明は、特に、ＴＲＥＥ構造の各要素が持っている位置情報を使って、起点となっている前記選択した要素から左右方向または上下方向に遠ざかる方向につながっている他の要素は検索し、近づく方向につながっている他の要素は検索しないという要素検索手順を有しており、これにより、ＴＲＥＥ構造のどの位置の要素を選択してもＴＲＥＥ構造の左端から右端または上端から下端まで全体にわたってつながっている要素と線を抽出表示できるという作用効果を有する。
【００１１】
本発明の請求項３に記載の発明は、特に、つながり抽出操作を行ったつながっている要素の抽出結果は、図面データを多層構造を有しており、これにより結果表示をし、迅速に抽出結果表示とＴＲＥＥ構造全体表示を切り替えられるという作用効果を有する。
【００１２】
本発明の請求項４に記載の発明は、特に、ＴＲＥＥ構造の一つのデータファイルが複数のページで構成されるという構成を有しており、これにより、任意の既存ページで行ったつながり抽出結果を新規に作成した別のページに出力して、原本のＴＲＥＥ構造には影響を与えずに抽出結果を編集できるという作用効果を有する。
【００１３】
本発明の請求項５に記載の発明は、特に、別のページに出力した抽出結果の要素と要素の間の間隔を所定の制約条件の下で自動的に縮めて再配置するという機能を有しており、これにより、抽出結果を見やすいサイズに変更できるという作用効果を有する。
【発明の効果】
【００１４】
本発明のＴＲＥＥ構造記述ソフトウェアは、つながり情報をもった線とつながり情報と位置情報を持った文書を記述する要素という構成であり、ＴＲＥＥ構造の一つの要素を選択してつながり抽出操作を行えば、その要素と関連しつながっている要素のみを抽出表示し、抽出解除操作を行えば元のＴＲＥＥ構造全体が表示される機能を備え、ＴＲＥＥ構造が膨大で複雑になっても個々の要素に対するＴＲＥＥ構造の分析に迅速に対応できるという効果を有する。
【発明を実施するための最良の形態】
【００１５】
以下、実施の形態１を用いて、本発明の特に請求項１〜５に記載の発明について図面を参照しながら説明する。
【００１６】
なお、背景の技術において説明したものと同じ構成部材などについては、同じ符号を付与し詳細な説明は省略する。
【００１７】
（実施の形態１）
図１は、本発明の実施の形態１におけるソフトウェアの概略構成図である。図２は、本ソフトウェアで記述したＴＲＥＥ構造の全体を表している。図３は、図２において起点として選択した要素２０１でつながり抽出操作を行った結果を表しているつながり抽出結果図である。図４は線と要素に関連付けて持たせる図形情報を示す図形情報説明図である。図５は、要素の位置情報（Ｘ、Ｙ）の考え方を示す説明図である。
【００１８】
図１において、操作入力部１００で入力された操作がＴＲＥＥ構造を記述する操作の場合は、図形編集部１０２で図形編集処理を行い、表示編集部１０４で図形編集結果を表示する。前記操作入力部１００で入力された操作がファイル操作の場合は、ファイル保存／読出し部１０３でファイル読出しまたはファイル保存の処理を行い、表示編集部１０４でファイル操作結果を表示する。前記操作入力部１００で入力された操作がつながり抽出操作の場合は、図形追跡処理部１０５で起点とした要素につながっている図形の追跡処理を行い、追跡結果をつながり結果抽出部１０６で抽出処理を行い、表示編集部１０４でつながり抽出結果を表示する。
【００１９】
次に、本発明の請求項１、２に記載の発明について、図面を参照しながら説明する。図２において要素２０１につながっている要素を抽出表示する為に、起点として要素２０１を選択した後に、つながり抽出操作を行うと、図１の図形追跡処理部１０５で、まず、現在のＴＲＥＥ構造に記述されている図形番号を全て検索し、全体リスト１０５ａに図形番号を全て記憶させる。次に、図４（ｂ）の要素２０１の図形情報を確認し、左辺つながり図形番号から左辺につながっている図形番号２０２と２０３を確認する。次に、線２０２の図形情報の始点つながり図形番号と終点つながり図形番号を確認して要素２０１と反対側に要素２０４がつながっていることを判断する。次に要素２０４の図形情報の位置情報（Ｘ２０４）と要素２０１の図形情報の位置情報（Ｘ２０１）を比較し、Ｘ２０４＜Ｘ２０１の時は要素２０４が要素２０１より左側にあると判断し、要素２０４と線２０２を抽出リスト１０５ｂの中に追加し、続けて要素２０４の図形情報の左辺つながり図形番号を確認して更に左側につながっている要素がないか追跡する。Ｘ２０４＞Ｘ２０１の時は要素２０４が要素２０１より右側にあると判断し、この系統での図形抽出を終了し、要素２０４と線２０２を抽出リスト１０５ｂの中に入れず、次の線２０３の図形追跡を行う。以上を順次繰り返すことで要素２０１の左側につながっている要素と線を全て抽出リスト１０５ｂの中に入れ込む。要素２０１の右側につながっている要素と線についても同様に行う。
【００２０】
尚、例えば要素２０１の図形情報に関する位置情報は、図５に示すような図形左上のＸＹ座標で定義している。
【００２１】
図１の図形追跡処理部１０５による要素２０１の左右につながっている図形の追跡が全て終わると、次に、図１のつながり結果抽出部１０６で抽出リスト１０５ｂの図形番号を使って要素２０１につながっている図形だけのＴＲＥＥ構造を合成してつながり抽出結果を作成し、図１の表示編集部１０４で表示させることで、図３に示すような要素２０１につながっている要素のみを抽出表示できる。
【００２２】
また、つながり抽出解除操作が行われたときは、図１の図形追跡処理部１０５で最初に行った全体リスト１０５ａの情報を元に、図１のつながり結果抽出部１０６でＴＲＥＥ構造全体を復元して、図１の表示編集部１０４で表示させることで元のＴＲＥＥ構造全体を表示させることができる。
【００２３】
次に、本発明の請求項３に記載の発明について、図面を参照しながら説明する。図６は、ＴＲＥＥ構造図面データの多層構造の一事例を示すＴＲＥＥ構造図面の多層構造説明図である。ここで図面データの多層構造を構成している各層をレイヤと呼ぶ。図４の線と要素の図形情報において、個々の図形毎にどのレイヤに属しているのかの情報を持たせることで、図６（ｃ）のＴＲＥＥ構造全体が記述されたレイヤ１と図６（ｂ）のつながり抽出した結果を記述したレイヤ２を作成でき、図６（ａ）のレイヤ表示切替テーブルのレイヤ毎に切替え可能な表示（ＯＮ／ＯＦＦ）を切り替えることで抽出結果とＴＲＥＥ構造全体の迅速な表示切替えが可能になる。
【００２４】
次に、本発明の請求項４に記載の発明について、図面を参照しながら説明する。図７はデータファイルの構成説明図である。図７（ａ）は、データファイルの構成の一事例を示しており、ＴＲＥＥ構造を記述した１つのデータファイルが複数のページで構成されている。図７（ａ）はページ１に記述したＴＲＥＥ構造に対して要素７０１でつながり抽出した結果の状態を実線で示しており、つながり抽出の対象にならなかった図形を破線で示している。この状態で別ページ出力操作を行った結果を図７（ｂ）に示しており、図７（ｂ）は、新規にページ４を作成して図７（ａ）のつながり抽出結果の図形だけを出力し、ページ１には元のＴＲＥＥ構造全体が残った状態となっている。これによりページ１の元のＴＲＥＥ構造全体に影響を与えずに、ページ４の抽出結果に対して見やすく編集することが可能になる。
【００２５】
次に、本発明の請求項５に記載の発明について、図面を参照しながら説明する。図８は要素の自動再配置を示す説明図である。
【００２６】
図８（ａ）は、つながり抽出結果を新規に作成したページ４に出力した直後の再配置前の状態を示している。図８（ａ）のセル境界線８０１は図形整列の単位となるセルの境界線を示しており、上下方向または左右方向のいずれかの方向に要素が一つも存在しないセル８０２をハッチング表示している。上下方向に要素が一つも存在しない場合は、そのセル列よりも右側に配置してある要素を、セル列を削除する方向に左へ移動し、左右方向に要素が一つも存在しない場合は、そのセル行より下側に配置してある要素を、セル行を削除する方向に上へ移動して要素を再配置した結果を図８（ｂ）に示す。
【００２７】
上下方向または左右方向のいずれかの方向に要素が一つも存在しない場合は、その部分の隙間を詰めるという制約条件で自動的に縮めて再配置することで、抽出結果を少しでも見やすいサイズに変更でき関連する要素のみのＴＲＥＥ構造をコンパクトに表示できる。
【産業上の利用可能性】
【００２８】
本発明にかかるＴＲＥＥ構造記述ソフトウェアは、ＴＲＥＥ構造の一つの要素を選択してつながり抽出操作を行えば、その要素とつながっている要素のみを抽出表示し、抽出解除操作を行えば元のＴＲＥＥ構造全体が表示される機能を備え、ＴＲＥＥ構造が膨大で複雑になってもＴＲＥＥ構造の分析に迅速に対応できるという効果を有し、膨大で複雑な系統図や組織図などのＴＲＥＥ構造を記述するソフトウェアなどの用途として有用である。
【図面の簡単な説明】
【００２９】
【図１】本発明の実施の形態１におけるソフトウェア概略構成図
【図２】同記述したＴＲＥＥ構造の全体図
【図３】同つながり抽出結果図
【図４】同図形情報説明図
【図５】同要素の位置情報の考え方を示す説明図
【図６】同ＴＲＥＥ構造図面の多層構造説明図
【図７】同データファイルの構成説明図
【図８】同要素の自動再配置を示す説明図
【符号の説明】
【００３０】
１００  操作入力部
１０１  入力操作識別部
１０２  図形編集部
１０３  ファイル保存／読出し部
１０４  表示編集部
１０５  図形追跡処理部
１０５ａ  全体リスト
１０５ｂ  抽出リスト
１０６  つながり結果抽出部
２０１  要素（つながり抽出の起点として選択した要素）
２０２  線（要素２０１の左辺につながっている線）
２０３  線（要素２０１の左辺につながっている線）
２０４  要素（線２０１につながっている要素）
２０５  要素（線２０３につながっている要素）
２０６  線（要素２０１の右辺につながっている線）
２０７  線（要素２０１の右辺につながっている線）
２０８  線（要素２０１の右辺につながっている線）
７０１  要素（つながり抽出の起点として選択した要素）
８０１  セル境界線
８０２  上下方向または左右方向のいずれかの方向に要素が一つも存在しないセル
【図１】
2008077128.tif 000003
【図２】
2008077128.tif 000004
【図３】
2008077128.tif 000005
【図４】
2008077128.tif 000006
【図５】
2008077128.tif 000007
【図６】
2008077128.tif 000008
【図７】
2008077128.tif 000009
【図８】
2008077128.tif 000010